(57)【要約】【課題】被写体を撮影した画像を日々定期的に送信するよう促す携帯電話機を提供する。【解決手段】Ｓ４では、日記データ送信通知部２１１は送信日時データとクロックから取得された現在の日付とを参照し、現在の日付と同一の日付で日記データが送信されているか否かを判断する。送信されている場合はＳ１０に移行し、送信されていない場合はＳ５に移行する。Ｓ５では、日記データ送信通知部２１１は、日記データを送信するよう促す通知（メッセージ）を表示部２０５に表示させる。この表示によりユーザは日記データの送信を促される。【選択図】  図４
2005260689.tif 000002
【特許請求の範囲】
【請求項１】
表示手段と、操作入力を受け付ける操作手段と、前記操作手段が撮像を開始する旨の指示を受け付けたことに応じて被写体を撮像し、被写体像を表す画像データを出力する撮影手段と、前記画像データと前記被写体像に対するコメントとを日記形式で前記表示手段に表示させるための日記データとして送信する送信手段とを備える携帯電話機であって、
前記日記データが毎日送信されているか否かを判断し、前記判断結果に応じて日記データの送信を促す通知を行う通知手段を備える携帯電話機。
【請求項２】
前記日記データが送信された日付を記憶する記憶手段をさらに備える請求項１に記載の携帯電話機。
【請求項３】
前記日記データが送信された日付の指定を受け付け、指定された日付に送信された日記データの送信を要求する送信要求手段と、
前記指定された日付に送信された日記データを受信する受信手段と、
前記受信した日記データに基づいて前記被写体像及び前記コメントを日記形式で表示するよう前記表示手段を制御する表示制御手段と、
をさらに備える請求項２に記載の携帯電話機。
【請求項４】
前記通知手段は前記日付に基づいて通知を行うタイミングを決定する通知タイミング決定手段を有する請求項２又は３に記載の携帯電話機。
【請求項５】
前記通知手段は前記通知を表示させるよう前記表示手段を制御する請求項１〜４のいずれかに記載の携帯電話機。
【請求項６】
請求項１〜５のいずれかに記載の通知手段として前記携帯電話機を機能させるための日記データ送信通知プログラム。
【発明の詳細な説明】
【技術分野】
【０００１】
本発明は携帯電話機に係り、特に画像を外部に送信できる携帯電話機に関する。
【背景技術】
【０００２】
近年、カメラ付き携帯電話機の普及に伴い、各ユーザから送信された撮影画像を一括してサーバにて管理し、ユーザがサーバにアクセスして容易に撮影画像を整理・閲覧できるようなサービスが提供されている。例えば、特許文献１のセンターサーバは、データベースに保管された画像ファイルをネットワークで公開する。センターサーバは、公開された画像を閲覧したユーザＡがセンターサーバに対して入力した各種情報を取り込み、これらの情報に基づいてデータベースから指定された画像ファイルを読み出し、その画像ファイルを添付書類形式に変換し、画像添付メールを生成して、指定された宛先であるユーザＢに送信する。
【特許文献１】特開平１１−２２４２２８号公報
【発明の開示】
【発明が解決しようとする課題】
【０００３】
しかし、特許文献１の技術の場合、そもそもセンターサーバに被写体を撮影した画像が日々定期的に送信されていなければ、ユーザＡが頻繁に画像を閲覧することは期待できず、システムの利用頻度も低下してしまう。本発明はこのような問題点に鑑みてなされたもので、被写体を撮影した画像を日々定期的に送信するよう促す携帯電話機を提供することを目的とする。
【課題を解決するための手段】
【０００４】
上述の課題を解決するため、請求項１に係る発明は、表示手段と、操作入力を受け付ける操作手段と、前記操作手段が撮像を開始する旨の指示を受け付けたことに応じて被写体を撮像し、被写体像を表す画像データを出力する撮影手段と、前記画像データと前記被写体像に対するコメントとを日記形式で前記表示手段に表示させるための日記データとして送信する送信手段とを備える携帯電話機であって、前記日記データが毎日送信されているか否かを判断し、前記判断結果に応じて日記データの送信を促す通知を行う通知手段を備えることを特徴とする。
【０００５】
この発明によると、毎日日記データが送信されていない場合、その送信を促す通知がされるため、ユーザは日記データの送信を促される。通知の方式は任意であり、画面表示、音、バイブレーションなどが可能である。
【０００６】
請求項２に係る発明は、請求項１に記載の携帯電話機において、前記日記データが送信された日付を記憶する記憶手段をさらに備える。
【０００７】
請求項３に係る発明は、請求項２に記載の携帯電話機において、前記日記データが送信された日付の指定を受け付け、指定された日付に送信された日記データの送信を要求する送信要求手段と、前記指定された日付に送信された日記データを受信する受信手段と、前記受信した日記データに基づいて前記被写体像及び前記コメントを日記形式で表示するよう前記表示手段を制御する表示制御手段と、をさらに備える。
【０００８】
この発明によると、毎日日記データが外部のサーバへ送信されて記憶されることに伴い、サーバに記憶された日記データを逆に携帯電話機で受信して表示する機会も増加することが期待され、サーバの利用が促進される。
【０００９】
請求項４に係る発明は、請求項２又は３に記載の携帯電話機において、前記通知手段は前記日付に基づいて通知を行うタイミングを決定する通知タイミング決定手段を有する。
【００１０】
この発明によると、日記データの送信日時に基づき、携帯電話機のユーザが日記データを送信すると予想されるタイミングで適切に通知できる。
【００１１】
請求項５に係る発明は、請求項１〜４のいずれかに記載の携帯電話機において、前記通知手段は前記通知を表示させるよう前記表示手段を制御する。
【００１２】
この発明によると、日記データの送信を促す通知を表示することで送信を喚起できる。
【００１３】
請求項６に係る発明は、請求項１〜５のいずれかに記載の通知手段として前記携帯電話機を機能させるための日記データ送信通知プログラムである。
【発明の効果】
【００１４】
この発明によると、毎日日記データが送信されていない場合、その送信を促す通知がされるため、ユーザは日記データの送信を促される。
【発明を実施するための最良の形態】
【００１５】
以下、添付した図面を参照し本発明の好ましい実施の形態を説明する。
【００１６】
＜第１実施形態＞
［概略構成］
図１は、本発明の好ましい実施形態に係る画像サービスシステムのブロック構成図である。このシステムは、インターネットなどのネットワーク４に接続されたサービスサーバ１と、携帯電話機２と、携帯電話機２と無線接続し、携帯電話機２をネットワーク４に接続させる無線基地局３とを備えている。サービスサーバ１は、メールサーバ１１、ＷＥＢサーバ１２及びデータベース（ＤＢ）１３を有している。
【００１７】
図２は、携帯電話機２の機能ブロック図である。携帯電話機２は、カメラ部２０１、画像メモリ２０２、圧縮伸張部２０３、メモリ２０４、表示部２０５、プロトコル変換部２０６、無線通信部２０７、操作部２０８、制御部２０９を有している。なお、通常の携帯電話機として機能するためのマイクやスピーカ等も設けられているが、図２では省略している。ＭＣＵ（Microcontroller Unit）などで構成された制御部２０９は、携帯電話機２の各回路ブロックと接続されており、テンキーなどの操作キーを含む操作部２０８から入力される指示信号に基づいて各ブロックを制御する。操作部２０８に設けられたシャッターボタンが押下されると制御部２０９はカメラ部２０１に撮像の開始を指示し、カメラ部２０１はこれに応じて撮像を行う。カメラ部２０１は撮像された画像情報を電子画像データに変換して画像メモリ２０２に記憶する。画像メモリ２０２の画像データは液晶画面などで構成された表示部２０５に表示できる。この画像データは圧縮伸張部２０３で圧縮処理されてメモリ２０４に記憶される。メモリ２０４に記憶された画像データは、プロトコル変換部２０６において宛先情報（例えばメールサーバ１１のメールアドレス）や一意的な差出人情報（例えば携帯電話機２に一意的に割り当てられたユーザＩＤやメールアドレス）などをヘッダ情報に付加し、所定のプロトコルに従って無線通信部２０７に送られる。無線通信部２０７に送られた画像データは、アンテナ２１０から無線基地局３を介してメールサーバ１１やＷＥＢサーバ１２に送信される。差出人情報はメモリ２０４の一態様であるフラッシュメモリに記憶されている。なお、無線通信部２０７は電子メールを送受信する機能を有してもよい。
【００１８】
携帯電話機２は、特定のＵＲＬ（Uniform Resource Locator）で指定されるＷＥＢサーバ１２にアクセスしてＪａｖａ（登録商標）アプリケーション等の各種アプリケーションをＤＢ１３からダウンロードしてメモリ２０４に保存する機能を有する。制御部２０９は、メモリ２０４に保存したアプリケーションを実行する。本実施形態において、ＤＢ１３からダウンロードされたアプリケーションは、一旦起動すると携帯電話機２の電源が入っている状態で電話着信時又はメール受信時以外の動作中は、常にメモリ２０４に画像データが記憶されたか否かを判断し、メモリ２０４に画像データが記憶された場合はその画像データをＤＢ１３にアップロードさせる制御を制御部２０９に実行させる機能を有する待ち受けアプリケーションである。この待ち受けアプリケーションのダウンロードは、特定の携帯電話機２だけが行えるようにしてもよいし、どの携帯電話機２からダウンロードできるようにしてもよい。例えば、サービスサーバ１に認証サーバを設けておき、ユーザＩＤやパスワードなどで認証を受けた携帯電話機２だけが待ち受けアプリケーションをダウンロードできるようにしてもよい。また、待ち受けアプリケーションのダウンロードの方法も任意であり、例えばメールサーバ１１が待ち受けアプリケーションのダウンロードサイトとなるＷＥＢサーバ１２を指定するＵＲＬをハイパーリンクしたメールを上記の認証を受けた携帯電話機２に送信してもよい。そして、携帯電話機２がこのメールを受信し、メールのハイパーリンクからＷＥＢサーバ１２にアクセスして待ち受けアプリケーションをダウンロードできるようにしてもよい。
【００１９】
ＷＥＢサーバ１２は待ち受けアプリケーションを起動した携帯電話機２から画像データその他のデータの送信（アップロード）を受け付ける。アップロードされた画像データその他のデータはＤＢ１３に記憶される。データをアップロードしたユーザを識別するためにデータにはユーザＩＤを対応づけて記憶することが望ましい。ＤＢ１３に記憶された画像データは、様々な方法で利用することができる。本実施形態では、サービスサーバに認証サーバを設け、認証サーバの認証を受けたユーザのみがＤＢ１３に記憶された画像データなどを日記形式で閲覧できるものとする。認証を受けたユーザが画像データをダウンロードできるようにしてもよい。
【００２０】
本実施形態においてサービスサーバ１から携帯電話機２に送信される待ち受けアプリケーションは、カメラ部２０１の出力した画像データと操作部２０８から入力され撮影した被写体に対するコメントとユーザＩＤとを含む日記データをサービスサーバ２に送信するアプリケーションである。以下、この待ち受けアプリケーションを日記アプリケーションという。図３（ａ）に示すように、日記アプリケーションは、日記データの送信を促す通知を表示するよう表示部２０５を制御する日記データ送信通知部２１１、操作部２０８の所定のボタン操作に応じて日記データをＷＥＢサーバ１２に送信するよう無線通信部２０７を制御する日記データ送信制御部２１２、及びＤＢ１３に記憶された画像データを日記形式で表示部２０５に表示してユーザに閲覧させる日記表示制御部２１３として制御部２０９を機能させる。図３（ｂ）に示すように、日記データ送信制御部２１２は、日記データを送信した日時を送信日時データとしてメモリ２０４に記憶させる。日記データ送信制御部２１２は、現在の時刻より一定時刻以上古い送信日時データ（例えば現在時刻より一週間以上前の日時を有する送信日時データ）をメモリ２０４から削除するようにしてもよい。
【００２１】
［日記データ送受信処理］
次に、図４に従い、サービスサーバ１と携帯電話機２との間で実行される日記データ送受信処理の流れを説明する。
【００２２】
Ｓ１では、携帯電話機２は、ＷＥＢサーバ１２に日記アプリケーションの送信を要求する。Ｓ２では、携帯電話機２の送信要求に応じ、ＷＥＢサーバ１２はＤＢ１３に記憶されている日記アプリケーションを携帯電話機２に送信する。携帯電話機２は受信した日記アプリケーションをメモリ２０４に保存し、制御部２０９はメモリ２０４の日記アプリケーションを起動する。日記アプリケーションの起動は受信終了とともに開始してもよいし、操作部２０８の所定操作により開始してもよい。以後、図３（ａ）に示すようにメモリ２０４に記憶された作成アプリケーションは、起動されると、制御部２０９を日記データ送信通知部２１１、日記データ送信制御部２１２及び日記表示制御部２１３として機能させる。
【００２３】
Ｓ３では、日記データ送信通知部２１１は携帯電話機２に内蔵の図示しないクロックから現在の時刻を取得し、現在の時刻が送信タイミングＴ０を経過したか否かを判断する。現在の時刻が送信タイミングＴ０を経過した場合はＳ４に移行し、経過していない場合はＳ６に移行する。この送信タイミングＴ０は、毎日２４時間のうちのある所定の時刻であり、例えば毎日同じ時刻（Ｔ０＝２２：００など）であってもよいし、図３（ｂ）の送信日時データで示される各日の送信時刻を平均した時刻などであってもよい。
【００２４】
Ｓ４では、日記データ送信通知部２１１は図３（ｂ）の送信日時データとクロックから取得された現在の日付とを参照し、現在の日付と同一の日付で日記データが送信されているか否かを判断する。送信されている場合はＳ１０に移行し、送信されていない場合はＳ５に移行する。Ｓ５では、日記データ送信通知部２１１は図５（ｃ）に示すように、日記データを送信するよう促す通知（メッセージ）を表示部２０５に表示させる。
【００２５】
Ｓ６では、日記データ送信制御部２１２は日記データをＷＥＢサーバ１２に送信する所定のボタン操作（以下日記データ送信操作という）が操作部２０８に入力されたか否かを判断する。日記データ送信操作が操作部２０８に入力された場合はＳ７に移行し、日記データ送信操作が操作部２０８に入力されなかった場合はＳ３に戻る。Ｓ７では、日記データ送信制御部２１２は送信日時データをメモリ２０４に記憶する。Ｓ８では、日記データ送信制御部２１２は日記データをＷＥＢサーバ１２に送信するよう無線通信部２０７を制御する。その後携帯電話機２側の処理はＳ１０に移行する。なお、メモリ２０４に複数の画像データが記憶されている場合、日記データ送信制御部２１２は日記データとして送信する画像データをいずれか１つ選択させる操作を操作部２０８から受け付け、選択された画像データを日記データに含めて送信してもよい。Ｓ９では、ＷＥＢサーバ１２は受信した日記データをＤＢ１３に記憶する。
【００２６】
Ｓ１０では、日記表示制御部２１３は、送信日時データを参照し、日記データが送信された日付を表示部２０５に表示させる。例えば、図５（ａ）に示すように、日記データが送信された日付をカレンダーＸ内のアイコンＢで表示させる。そして、日記表示制御部２１３は、日記データの送信された日付を指定して日記データの閲覧を要求する操作が操作部２０８から入力されたか否かを判断する。日記データの閲覧要求は、例えば図５（ａ）のアイコンＢのいずれか１つを指定することで行うことができる。日記データの閲覧を要求する操作が操作部２０８から入力された場合はＳ１１に移行し、入力されなかった場合はＳ３に戻る。Ｓ１１では、日記表示制御部２１３は、携帯電話機２に一意的に割り当てられたユーザＩＤとＳ１０で指定された日付で特定される日記データを送信するようサービスサーバ１に要求する。Ｓ１２では、サービスサーバ１は、携帯電話機２から送信されたユーザＩＤ及び日付で特定される日記データをＤＢ１３から取得して携帯電話機２に送信する。Ｓ１３では、日記表示制御部２１３は、サービスサーバ１から受信した日記データを日記形式で表示部２０５に表示させる。例えば、図５（ｂ）に示すように、表示部２０５の上部にＳ１０で指定された日付Ｄ、中央部に受信した日記データに含まれる画像データで表現される被写体像Ｉ、下部にコメントＣを表示すればよい。日記データの表示は操作部２０８の所定操作で終了することができ、日記データの表示が終了すると処理はＳ３に戻る。
【００２７】
以上の処理により、毎日２４時間のうちの所定時刻Ｔ０までに日記データが送信されていない場合、その送信を促す通知が表示部２０５に表示されるため、ユーザは日記データの送信を促され、サービスサーバ１への日記データ送信が促進される。これに伴い、サービスサーバ１へ送信された日記データを携帯電話機２で閲覧要求する機会も増加することが期待され、サービスサーバ１の利用が促進される。
【図面の簡単な説明】
【００２８】
【図１】本発明の好ましい実施形態に係る画像サービスシステムのブロック構成図
【図２】携帯電話機の機能ブロック図
【図３】メモリに記憶される日記アプリケーションの機能ブロック及び送信日時データの概念図
【図４】日記データ送受信処理の流れを示すフローチャート
【図５】日記データの送信日付を示すカレンダー、日記形式で表示された日記データ、及び日記データの送信を促す通知の一例を示す図
【符号の説明】
【００２９】
１：サービスサーバ、２：携帯電話機
【図１】
2005260689.tif 000003
【図２】
2005260689.tif 000004
【図３】
2005260689.tif 000005
【図４】
2005260689.tif 000006
【図５】
2005260689.tif 000007